(57)【要約】【課題】操作者の作業負担を軽減すると共に、写真処理機において写真フィルムの搬送動作を適正に維持して、写真処理機用の写真フィルム搬送装置をより信頼性の高いものとする。【解決手段】写真フィルム１を駒画像の並び方向に搬送駆動する搬送手段ＴＭが備えられた写真処理機用の写真フィルム搬送装置１２において、前記写真フィルム１において搬送横幅方向に対して端縁の位置が搬送方向で変位して前記搬送方向前方に向けて突き出した形状となっている部分が存在するか否かを検出するための形状検出用のセンサ３７と、その形状検出用のセンサ３７の検出情報に基づいて、前記搬送手段ＴＭにて写真フィルムを前記搬送方向に搬送するか否かを制御する搬送制御装置３９とが設けられている。【選択図】図１
2005134491.tif 000002
【特許請求の範囲】
【請求項１】
写真フィルムを駒画像の並び方向に搬送駆動する搬送手段が備えられた写真処理機用の写真フィルム搬送装置であって、
前記写真フィルムにおいて搬送横幅方向に対して端縁の位置が搬送方向で変位して前記搬送方向前方に向けて突き出した形状となっている部分が存在するか否かを検出するための形状検出用のセンサと、
その形状検出用のセンサの検出情報に基づいて、前記搬送手段にて写真フィルムを前記搬送方向に搬送するか否かを制御する搬送制御装置とが設けられている写真処理機用の写真フィルム搬送装置。
【請求項２】
前記搬送制御装置は、写真フィルムにおける搬送方向先端部についての前記センサの検出情報に基づいて、前記写真フィルムを前記搬送方向に搬送するか否かを制御するように構成されている請求項１記載の写真処理機用の写真フィルム搬送装置。
【請求項３】
前記搬送手段は、複数の搬送ローラが前記搬送方向に並ぶ状態で配置されて構成され、
前記センサは、前記搬送方向における最も上流側の搬送ローラよりも下流側位置に対して検出作用するように配置されている請求項１又は２記載の写真処理機用の写真フィルム搬送装置。
【請求項４】
前記写真処理機が、写真フィルムの駒画像を読取るフィルム読取り装置である請求項１〜３のいずれか１項に記載の写真処理機用の写真フィルム搬送装置。
【発明の詳細な説明】
【技術分野】
【０００１】
本発明は、写真フィルムを駒画像の並び方向に搬送駆動する搬送手段が備えられた写真処理機用の写真フィルム搬送装置に関する。
【背景技術】
【０００２】
一般に、写真フィルムを取り扱う種々の写真処理機では、写真フィルムを搬送駆動する搬送手段を備えて、各種の写真処理を自動化している。
例えば、下記特許文献１では写真フィルムの現像処理を自動化しており、又、下記特許文献２では、写真フィルムの駒画像の印画紙への焼き付け処理を自動化している。
これらの写真処理機において写真フィルムを取扱う上で、種々のトラブルが発生する場合があるが、これらのトラブルに対する対策としては、下記特許文献１に記載のように、写真フィルム先端部分あるいは後端部分の巻ぐせを修正することや、下記特許文献２に記載のように、写真フィルムの表裏の判定が行うことが考えられている。
【０００３】
又、搬送手段にて写真フィルムを搬送する場合において、搬送対象の写真フィルムが適正な形状に整えられているときは特に写真フィルムの形状が搬送の支障となることはないが、写真フィルムの端縁が搬送方向前方に向けて突き出した形状となっている部分が存在するときは、その部分が搬送経路中に存在する隙間等に突っかかる状態となって適正に搬送されず、搬送経路に写真フィルムが詰まって、その写真フィルムあるいは搬送手段が損傷する場合がある。
従来、このような写真フィルムや搬送手段の損傷を防止するために、写真処理機の操作者が写真フィルムの形状が適正な形状に維持されているか否かを目視等で確認した後、写真処理機にセットするように取り扱われていた。
【特許文献１】特開平６−３４７９７９号公報
【特許文献２】特開平８−８２８７３号公報
【発明の開示】
【発明が解決しようとする課題】
【０００４】
従って、従来は、写真処理機の操作者の作業負担が大となると共に、操作者の確認作業が不十分で、形状が適正でない写真フィルムをセットしてしまい、写真フィルムや搬送手段を損傷してしまう場合もあった。
本発明は、かかる実情に鑑みてなされたものであって、その目的は、操作者の作業負担を軽減すると共に、写真処理機において写真フィルムの搬送動作を適正に維持して、写真処理機用の写真フィルム搬送装置をより信頼性の高いものとする点にある。
【課題を解決するための手段】
【０００５】
本出願の第１の発明は、写真フィルムを駒画像の並び方向に搬送駆動する搬送手段が備えられた写真処理機用の写真フィルム搬送装置において、前記写真フィルムにおいて搬送横幅方向に対して端縁の位置が搬送方向で変位して前記搬送方向前方に向けて突き出した形状となっている部分が存在するか否かを検出するための形状検出用のセンサと、その形状検出用のセンサの検出情報に基づいて、前記搬送手段にて写真フィルムを前記搬送方向に搬送するか否かを制御する搬送制御装置とが設けられている。
すなわち、形状検出用のセンサを備えて、写真フィルムの搬送の支障となる形状部分が存在するか否かを検出し、所定通りの写真フィルムの搬送を行うのが適切であるか否かを判断できるようにしたのである。
【０００６】
尚、例えば写真フィルムの駒画像をフィルムスキャナで読取るような場合、駒画像を粗い解像度で読取るいわゆるプレスキャンと高精細の解像度で読取るいわゆる本スキャンとの２度に亘って同一方向に写真フィルムを搬送する形式をとることがあり、前記プレスキャンの完了後に写真フィルムを逆方向に戻し搬送してから前記本スキャンを行う。このような場合、前記搬送方向前方とは、前記プレスキャン及び前記本スキャン、並びに、前記戻し搬送の夫々の搬送動作においての「搬送方向前方」を意味するものであり、前記プレスキャン及び前記本スキャンと前記戻し搬送とでは「搬送方向前方」が逆向きになる。このいずれの向きの搬送においても、本第１の発明を適用できる。
【０００７】
又、本出願の第２の発明は、上記第１の発明の構成に加えて、前記搬送制御装置は、写真フィルムにおける搬送方向先端部についての前記センサの検出情報に基づいて、前記写真フィルムを前記搬送方向に搬送するか否かを制御するように構成されている。
すなわち、写真フィルムの現像処理時においては、写真フィルムの先端に写真フィルム搬送用のリーダを貼着して写真フィルムを搬送し、現像処理後に、その写真フィルムの先端に貼着されているリーダを切除する、という作業が行われるのが一般的である。
このリーダの切除は、切除後の形状が図６に示すような形状となるように、写真フィルム１におけるリーダ貼着部付近をそれの長手方向に対して直角に切り落とすことにより行う。
図６に示すような適正な形状に切断された写真フィルムであれば、搬送手段にてその写真フィルムを長手方向に問題なく搬送することができる。
【０００８】
このリーダの切除作業において、写真フィルムの端縁が搬送方向前方に向けて突き出した形状となる場合が多い。
具体的には、図７（ａ）に示すように、写真フィルム１をそれの長手方向に対して斜めに切断して、搬送横幅方向一端側が突き出す形状となってしまった場合や、図７（ｂ）に示すように、その斜めに切断したものを修正する意図で傾斜部分の途中箇所を切断して、搬送横幅方向中央部付近が突き出す形状となってしまった場合の他に、図７（ｃ）に示すように、切除する角度自体は写真フィルム１の長手方向と直角になっているものの、切断位置が写真フィルム１のパーフォレーション１ａにかかってしまうことによって、写真フィルム１の端縁で搬送方向前方に向けて突き出した形状となる場合、更には、図７（ｄ）に示すように、乱雑に切除作業を行って切除箇所がギザギザになってしまったような場合である。
このように写真フィルムが適正な形状でないものとなってしまった場合に、形状検出用のセンサを備えて、写真フィルムの搬送の支障となる形状部分が存在するか否かを検出し、所定通りの写真フィルムの搬送を行うのが適切であるか否かを判断できる。
【０００９】
又、本出願の第３の発明は、上記第１又は第２の発明の構成に加えて、前記搬送手段は、複数の搬送ローラが前記搬送方向に並ぶ状態で配置されて構成され、前記センサは、前記搬送方向における最も上流側の搬送ローラよりも下流側位置に対して検出作用するように配置されている。
すなわち、前記形状検出用のセンサを写真フィルムに対して検出作用させるについては、例えば、写真フィルムを搬送経路にセットするために操作者が写真フィルムを挿入操作している途中で前記センサにて検出作用させることも考えられるが、搬送経路の最も上流側の搬送ローラにて搬送駆動されている状態の写真フィルムに対して前記センサを検出作用させることで、所定の速度で安定して移動する写真フィルムが前記センサの検出対象となる。
【００１０】
又、本出願の第４の発明は、上記第１〜第３のいずれかの発明の構成に加えて、前記写真処理機が、写真フィルムの駒画像を読取るフィルム読取り装置として構成されている。
従って、フィルム読取り装置に備えられた写真フィルム搬送装置において、写真フィルムが適正な形状か否かを自動的に判断することができる。
【発明の効果】
【００１１】
上記第１の発明によれば、写真フィルムの形状に関して、所定通りの写真フィルムの搬送を行うのが適切か否かを自動で判断できるので、写真処理機の操作者の作業負担を軽減できると共に、搬送異常による写真フィルムや搬送手段の損傷を防止して写真処理機用の写真フィルム搬送装置をより信頼性の高いものとできるに至った。
上記第２の発明によれば、写真フィルムの形状がそれの搬送にとっては適正でない形状となってしまい易い部位である写真フィルムの搬送方向先端部に着目して、形状検出用のセンサにて監視することで、的確に写真処理機用の写真フィルム搬送装置を信頼性を向上させることができる。
【００１２】
上記第３の発明によれば、所定の速度で安定して移動する写真フィルムが前記センサの検出対象となるので、写真フィルムの形状が適正か否かを容易に検出でき、前記センサの構成を簡素化することができる。
上記第４の発明によれば、フィルム読取り装置において、写真フィルムが適正な形状か否かを自動的に判断することができるので、フィルム読取り装置を操作する操作者の作業負荷を軽減できると共に、フィルム読取り装置の信頼性を向上させることができる。
【発明を実施するための最良の形態】
【００１３】
以下、本発明の写真フィルム搬送装置を写真処理機の１例であるフィルム読取り装置に備えた場合の実施の形態を図面に基づいて説明する。
本実施の形態では、図３及び図４に示すように、そのフィルム読取り装置ＦＳを、フィルム読取り装置ＦＳの読取りデータに基づいて写真プリントを作製する露光・現像装置ＥＰと組み合わせて写真プリントシステムＤＰを構成する場合を例示する。
【００１４】
〔フィルム読取り装置ＦＳの概略構成〕
フィルム読取り装置ＦＳは、露光・現像装置ＥＰが固定設置されるのに対して、キャスターＣＴを備えて設置位置を容易に移動できるように構成されている。
フィルム読取り装置ＦＳの筐体内には、図３に概略的に示すように、ハロゲンランプ１０と、光ファイバー束にて構成されるライトガイド１１と、写真フィルム１の駒画像を光電変換するＣＣＤラインセンサユニット１３と、写真フィルム１の画像をＣＣＤラインセンサユニット１３上に結像させるためのレンズ１４と、光路を９０度屈曲させるためのミラー１５と、ＣＣＤラインセンサユニット１３の出力信号を増幅及びＡ／Ｄ変換等する信号処理回路１６とが設けられ、更に、ハロゲンランプ１０とライトガイド１１の光入射端との間には、装置調整用のセットアップフィルタ１７が光路に対して出退可能に配置され、このセットアップフィルタ１７を出退駆動するためにモータ１８が備えられている。
【００１５】
フィルム読取り装置ＦＳの筐体外部には、ライトガイド１１の光出射端の下方に位置する駒画像読取り位置を経由して写真フィルム１を搬送操作する写真フィルム搬送装置１２が着脱自在に備えられている。
ＣＣＤラインセンサユニット１３は、約５０００個のＣＣＤ素子を写真フィルム１の幅方向に配列したＣＣＤラインセンサを３列に並べて備えており、各ＣＣＤラインセンサの受光面には夫々赤色、緑色、青色のカラーフィルタが形成されて、写真フィルム１の駒画像を色分解して検出する。
フィルム読取り装置ＦＳでは、写真フィルム搬送装置１２に写真フィルム１がセットされると、写真フィルム１の搬送が開始され、駒画像が順次読み取られて、赤色、緑色、青色毎のデジタル画像データとして露光・現像装置ＥＰに出力される。
【００１６】
〔写真フィルム搬送装置１２の概略構成〕
写真フィルム搬送装置１２には、写真フィルム１を駒画像の並び方向に搬送する搬送手段ＴＭ、搬送手段ＴＭを制御する搬送制御装置３９等が備えられている。
搬送手段ＴＭの主要な構成としては、写真フィルム１の搬送横幅方向視の概略図である図２に示すように、写真フィルム１の搬送方向に沿って複数の搬送ローラＴＲが配置され、この搬送ローラＴＲを搬送モータ３４にて回転駆動している。
図２では、３つの搬送ローラＴＲを示しており、便宜上、搬送方向における最も上流側の搬送ローラＴＲを第１搬送ローラ３１、下流側の２つの搬送ローラＴＲを夫々第２搬送ローラ３２，第３搬送ローラ３３と称する。
【００１７】
各搬送ローラＴＲは夫々、下方側に位置する駆動ローラ３１ａ，３２ａ，３３ａと、上方側に位置する遊転式の圧着ローラ３１ｂ，３２ｂ，３３ｂとの対によって構成され、搬送モータ３４は、図示を省略するタイミングベルトによって駆動ローラ３１ａ，３２ａ，３３ａを一体的に回転駆動する。
搬送モータ３４の動作は搬送制御装置３９にて制御され、この搬送制御装置３９も写真フィルム搬送装置１２の筐体内に備えられている。
【００１８】
写真フィルム搬送装置１２は、駆動ローラ３１ａ，３２ａ，３３ａと圧着ローラ３１ｂ，３２ｂ，３３ｂとの接触箇所に形成される写真フィルム１の搬送面を境として揺動開閉可能であり、開き操作して平面視で見た状態の写真フィルム搬送装置１２を図１に示している。但し、図１は、写真フィルム１の搬送箇所付近を概略的に示したものである。
図１からわかるように、駆動ローラ３１ａ，３２ａ，３３ａは、写真フィルム１の搬送横幅方向の端部に対して搬送作用するようにローラ面が形成されており、このローラ面の上端が写真フィルム１の搬送横幅方向の端部を案内するベース面４１よりもわずかに上方側に位置している。図示は省略するが、圧着ローラ３１ｂ，３２ｂ，３３ｂ側も同様の配置構成としてある。
平面視で搬送横幅方向両端のベース面４１に挟まれる部分は、写真フィルム１の駒画像が通過する部分であり、ベース面４１よりもわずかに低くなっている。これらベース面４１等によって仕切られる空間によって写真フィルム搬送装置１２における写真フィルム１の搬送経路が形成され、その搬送経路の始端（図１及び図２の右端）が写真フィルム１を挿入する挿入開口４０となっている。
【００１９】
図１に示すように、写真フィルム１を挿入するための挿入開口４０付近に、写真フィルム１の存否を検出する光学式のフィルム検出センサ３５が備えられ、第１搬送ローラ３１の搬送方向下流側に、写真フィルム１の形状を検出するためにスリット状の開口３６が形成され、その開口３６の下方にフィルム形状センサ３７が備えられている。フィルム形状センサ３７は、ＣＣＤラインセンサとレンズとを備えて構成され、写真フィルム１において搬送横幅方向に対して端縁の位置が搬送方向で変位して前記搬送方向前方に向けて突き出した形状となっている部分が存在するか否かを検出するための形状検出用のセンサとして機能する。
更に、第２搬送ローラ３２と第３搬送ローラとの間に、フィルム画像読取り用の開口３８が形成されている。このフィルム画像読取り用の開口３８は、図２に示すように、写真フィルム搬送装置１２をフィルム読取り装置ＦＳにセットした状態で、ライトガイド１１の下端の直下に位置する。
尚、写真フィルム１の形状を検出するための開口３６及びフィルム画像読取り用の開口３８の何れにおいても、それらの開口３６，３８が写真フィルム１の搬送の支障とならないように透明のガラス板が嵌入されている。
【００２０】
〔写真フィルム搬送装置１２の搬送動作〕
次に、搬送制御装置３９による写真フィルム１の搬送制御について説明する。
搬送制御装置３９にはフィルム検出センサ３５の検出信号が入力されており、その入力信号に基づいて写真フィルム１の搬送のための基本搬送動作を制御する。
具体的には、駒画像を読取るために写真フィルム１が挿入開口４０から写真フィルム搬送装置１２内へ挿入されて、その写真フィルム１の先端をフィルム検出センサ３５が検出すると、搬送モータ３４の回転を開始させて搬送ローラＴＲにて写真フィルム１を一定速度で搬送駆動させる。
一方、搬送モータ３４の搬送作動の停止制御は、搬送経路下流端に備えたフィルム検出センサ（図示を省略）が写真フィルム１の後端を検出したときに搬送モータ３４を停止させる。尚、上流側のフィルム検出センサ３５が写真フィルム１の後端を検出して設定時間経過後に搬送モータ３４を作動停止させるようにしても良い。
この基本搬送動作にて搬送駆動される写真フィルム１がフィルム画像読取り用の開口３８上を通過するときに、写真フィルム１の各駒画像がＣＣＤラインセンサユニット１３にて読取られる。
【００２１】
搬送制御装置３９は、上述の基本搬送動作の他に、フィルム形状センサ３７からの入力信号に基づいて、写真フィルム１における搬送方向先端部の形状が、上記基本搬送動作による写真フィルム１の搬送駆動を継続するのが適切か否かを判別する処理を実行する。
これは、図７に例示するような、写真フィルム１において搬送横幅方向に対して端縁の位置が搬送方向で変位して搬送方向前方に向けて突き出した形状となっている部分が存在することで、その突き出した部分がベース面４１と搬送ローラＴＲとの間の隙間等に突っかかる状態となってしまうのを防止するための処理である。
【００２２】
この処理を、図５に示すフローチャートに基づいて更に説明する。
搬送制御装置３９は、フィルム検出センサ３５が挿入された写真フィルム１の先端を検出した時点から図５の処理を開始する。
挿入開口４０から挿入された写真フィルム１は、第１搬送ローラ３１で一定速度で搬送駆動される状態で開口３６上を通過して、フィルム形状センサ３７の検出対象となる。
搬送制御装置３９は、フィルム形状センサ３７から順次に入力される１ライン毎の画像データを、写真フィルム１の最も透過濃度の低いいわゆるスヌケの部分を検知可能なしきい値レベルで２値化して、隣接するライン間の２値化データの比較及び１ライン内の隣接する画素の２値化データの比較によって、各画素毎に写真フィルム１の先端エッジの位置を検出して記憶する（ステップ＃１）。
【００２３】
上記のようにして検出した写真フィルム１の先端エッジの位置情報に基づいて、写真フィルム１の搬送横幅方向の全幅に亘って写真フィルム１の先端の輪郭形状の抽出が完了すると（ステップ＃２）、その輪郭に沿って接線の傾きの変化を求めてその傾きの角度変化が十分小さく事実上直線と見なせるか否かを判断する（ステップ＃３）。
直線と見なせると判断したときは、その直線の傾き角が許容範囲内か否かを判断する（ステップ＃４）。搬送方向を基準にとった写真フィルム１の先端の辺の傾き角（図７（ａ）において角度αとして示す）は、８６°〜９４°の範囲であれば搬送に支障がないことが実験的に確かめられており、前記傾き角がその範囲内に収まっていれば、前記基本搬送動作による写真フィルム１の搬送を維持したまま図５の処理を終了する。
【００２４】
一方、写真フィルム１の先端部の形状が、例えば図７（ｂ）〜（ｄ）に示すような形状となっていて、ステップ＃３の判断処理において傾き角が変化しているものと判断した場合や、ステップ＃４の判断処理において前記傾き角αが許容範囲内に収まっていないと判断した場合は、搬送モータ３４を直ちに停止させる制御信号を出力する（ステップ＃５）。すなわち、フィルム形状センサ３７の検出情報に基づいて、前記搬送手段ＴＭにて写真フィルム１を前記搬送方向に搬送するか否かを制御している。
ステップ＃５での停止制御信号の出力によって写真フィルム１の搬送動作が停止すると、操作者は、写真フィルム搬送装置１２をフィルム読取り装置ＦＳから取り外した後、写真フィルム搬送装置１２を開き操作して写真フィルム１を取り出し、写真フィルム１の先端を搬送方向に対して直角に切り整えて、上述の操作をやり直す。尚、ステップ＃５の処理で搬送停止した写真フィルム１を写真フィルム搬送装置１２から取り出すについては、搬送ローラＴＲを逆回転させて、挿入開口４０から写真フィルム１を送り出すようにしても良い。
【００２５】
〔露光・現像装置ＥＰの全体構成〕
露光・現像装置ＥＰは、図３及び図４に示すように、フィルム読取り装置ＦＳとは別体で構成されており、筐体内部には、印画紙２に露光画像を形成する露光ヘッド２１と、露光形成する画像の画像データに基づいて露光ヘッド２１を制御する露光制御装置２２と、露光ヘッド２１にて露光された印画紙２を現像処理する現像処理装置２３と、印画紙マガジン８から引き出された印画紙２を現像処理装置２３へ搬送する印画紙搬送系ＰＴとが設けられ、筐体外部には、現像処理装置２３にて現像された印画紙２をオーダ毎に一時的に保存するための一時保存用コンベア２５と、現像処理装置２３から排出された印画紙２を一時保存用コンベア２５へ搬送する排出コンベア２６とが設けられ、更に、これら各部を制御する主制御装置２７が筐体内に設けられている。
【００２６】
主制御装置２７には、プリント画像をシミュレートして表示するためのモニタ２７ａと、操作者がそのモニタ２７ａに表示されたシミュレート画像を観察して露光条件の補正量を指示入力するための操作卓２７ｂと、ＭＯドライブ装置やＣＤ−Ｒドライブ装置等の外部入出力装置２７ｃとが接続されている。外部入出力装置２７ｃを備えることによって、フィルム読取り装置ＦＳから入力された写真フィルム１の画像データ以外に、ＣＤ−Ｒメディア等の各種の記録媒体に記録された画像データによって写真プリントを作製することができると共に、フィルム読取り装置ＦＳにて読み取った画像データをそれらの記録媒体に記録保存することができる。
印画紙搬送系ＰＴは、各種の搬送形式にて構成される複数の搬送ローラ５が備えられ、印画紙搬送系ＰＴの搬送経路の途中には、印画紙マガジン８から引き出された長尺の印画紙２を設定プリントサイズに切断するカッタ６と、印画紙２の搬送列を振り分けるための振り分け装置７とが備えられている。
【００２７】
〔露光・現像装置ＥＰの全体動作〕
次に、露光・現像装置ＥＰの全体動作について概略的に説明する。
フィルム読取り装置ＦＳにて写真フィルム１の駒画像が読み取られて、その画像データが主制御装置２７に入力されると、主制御装置２７は、その画像データに基づいて写真プリントを作製したときに得られるであろう画像をシミュレート演算により求めてモニタ２７ａに表示する。
操作者は、モニタ２７ａに表示されたシミュレート画像を観察して、適宜露光条件の補正入力を操作卓２７ｂから行う。
主制御装置２７は、操作卓２７ｂから補正入力があると、その指示に基づいて露光条件を補正演算して露光用の画像データを生成し、その画像データを露光制御装置２２へ送る。
露光制御装置２２は、上述のような印画紙２の搬送駆動と連動して、受け取った露光用の画像データに基づいて露光ヘッド２１を駆動し、前記露光位置を搬送される印画紙２に対して潜像として画像を露光形成する。
露光ヘッド２１にて露光処理された印画紙２は、現像処理装置２３にて現像処理及び乾燥処理された後、排出口２３ａから排出コンベア２６上に排出される。
【００２８】
〔別実施形態〕
以下、本発明の別実施形態を列記する。
（１）上記実施の形態では、フィルム形状センサ３７は写真フィルム１の先端部の形状のみを検出対象とする場合を例示しているが、写真フィルム１において搬送横幅方向に対して端縁の位置が搬送方向で変位して搬送方向前方に向けて突き出した形状となるのは、図７に示すような先端部に限られず、図８に示すように、写真フィルム１の搬送方向途中箇所においても存在し得る。
すなわち、図８においてパーフォレーション１ａ付近の１点鎖線で囲む領域を部分拡大して示すように、写真フィルム１の端縁とパーフォレーション１ａとの間が裂けて、いわゆる目切れが発生したような場合である。
このような目切れが存在する場合にも、上記基本搬送動作による写真フィルム１の搬送動作を停止させるように構成しても良い。
【００２９】
この場合は、搬送制御装置３９に、図５に示す処理を完了した後、上記基本搬送動作による写真フィルム１の搬送が継続されているときに、更に図９のフローチャートに示す処理を実行させる。
以下、図９の処理について説明する。
搬送制御装置３９は、フィルム形状センサ３７の検出情報に基づいて、図５のステップ＃１と同様の手法によって、写真フィルム１のエッジの検出を行い、検出したエッジの位置情報を記憶する（ステップ＃１１）。この際、写真フィルム１の搬送横幅方向の両端縁の検出情報は無視する。つまり、パーフォレーション１ａのみを検出対象とする。
【００３０】
搬送横幅方向の両端縁以外のエッジを検出して、そのエッジをトレースすることで輪郭を抽出し、その輪郭が閉じた曲線を形成するかあるいは輪郭の両端が写真フィルム１の端縁に到達した状態となって輪郭の抽出が完了すると（ステップ＃１２）、その抽出した輪郭形状が写真フィルム１の後端であるか否かを確認する（ステップ＃１３）。
抽出した輪郭形状が写真フィルム１の後端でないときは、正常なパーフォレーション１ａの形状である矩形となっているかを判断し（ステップ＃１４）、同時に検出にかかる両端のパーフォレーション１ａが共に正常な矩形であるときは、その正常なパーフォレーション１ａのエッジの位置情報をリセットして（ステップ＃１６）、ステップ＃１１の処理に戻り、次ぎに位置するパーフォレーション１ａの検出に移行する。
【００３１】
一方、同時に検出にかかる両端のパーフォレーション１ａの何れか一方でも正常な矩形の輪郭形状を有していないときは（ステップ＃１４）、更にその輪郭形状において搬送方向前方に向けて突き出した形状の部位が存在するか否かを確認し（ステップ＃１５）、そのような形状の部位が存在しなければ、写真フィルム１の搬送に支障がないのでエッジの位置情報をリセットして（ステップ＃１６）、ステップ＃１１の処理に戻る。
これに対して、搬送方向前方に向けて突き出した部位が存在するときは（ステップ＃１５）、写真フィルム１の搬送の支障となるので、搬送モータ３４を直ちに停止させる制御信号を出力し（ステップ＃１７）、その時点の写真フィルム１の搬送位置を記憶して（ステップ＃１８）、処理を終了する。尚、ここで記憶した写真フィルム１の搬送位置の情報は、搬送方向前方に向けて突き出した部位を切除する等して整形した写真フィルム１の駒画像読取りを再開するときに、既に読取りが完了した駒画像について重複して読取りを行わないようにするための制御に利用される。
【００３２】
（２）上記実施の形態では、写真フィルム１において搬送横幅方向に対して端縁の位置が搬送方向で変位して前記搬送方向前方に向けて突き出した形状となっている部分が存在するか否かを検出するための形状検出用のセンサとして、ＣＣＤラインセンサ等を備えたフィルム形状センサ３７を例示しているが、このセンサの具体構成は種々に変更可能であり、例えば、現実に最も生じやすい図７（ａ）に示すような切断角度の異常を検出対象とする場合であれば、写真フィルム１における搬送横幅方向の両端縁に対して検出作用してその存否を検出するセンサを１組備えるだけの構成としても良い。このような端縁検出用のセンサとしては、写真フィルム１の搬送制御等を目的としてパーフォレーション１ａを検出するために設けられているパーフォレーションセンサをそのまま流用することができ、構成の簡素化を図ることができる。
【００３３】
（３）上記実施の形態では、写真フィルム１の先端部を検出対象とする場合を例示し、又、上記別実施形態では、写真フィルム１の先端部及びパーフォレーション１ａの周辺部を検出対象とする場合を例示しているが、更に、写真フィルム１の長手方向途中箇所において、パーフォレーション１ａ周辺以外の位置の形状を検出対象としても良い。
【図面の簡単な説明】
【００３４】
【図１】本発明の実施の形態にかかる写真フィルム搬送装置内部の平面図
【図２】本発明の実施の形態にかかる写真フィルム搬送装置の搬送横幅方向視の概略図
【図３】本発明の実施の形態にかかる写真プリントシステムのブロック構成図
【図４】本発明の実施の形態にかかる写真プリントシステムの外観斜視図
【図５】本発明の実施の形態にかかるフローチャート
【図６】適正に切断された写真フィルムの先端形状を示す図
【図７】写真フィルムの先端形状が適正でない場合を例図する図
【図８】写真フィルムのパーフォレーション付近の形状が適正でない場合を説明する図
【図９】本発明の別実施形態にかかるフローチャート
【符号の説明】
【００３５】
１    写真フィルム
３７  形状検出用のセンサ
３９  搬送制御装置
ＦＳ  フィルム読取り装置
ＴＭ  搬送手段
ＴＲ  搬送ローラ
【図１】
2005134491.tif 000003
【図２】
2005134491.tif 000004
【図３】
2005134491.tif 000005
【図４】
2005134491.tif 000006
【図５】
2005134491.tif 000007
【図６】
2005134491.tif 000008
【図７】
2005134491.tif 000009
【図８】
2005134491.tif 000010
【図９】
2005134491.tif 000011